(57)【要約】【課題】撮像中に現地時刻が異なる地域に移動しても、時刻情報の不整合を防止して自動的に正しい時刻に修正できるようにする。【解決手段】測位情報生成部１３は、例えばＧＰＳ電波を受信して、位置情報と協定世界時を示す測位情報ＰＴを生成する。制御部３１は、測位情報ＰＴが示す位置情報から協定世界時との時差を判別して、この時差と測位情報ＰＴが示す協定世界時とサマータイム情報から位置情報によって示された位置の現地時刻を算出する。制御部３１は、時計部２２が示すシステム時刻と現地時刻との時間差が所定時間を超えているときにシステム時刻の修正を行う。撮像画像の記録動作を行っているときは、記録動作の終了までシステム時刻の修正を待機させる。【選択図】        図１
2009133776.tif 000002
【特許請求の範囲】
【請求項１】
撮像画像と撮像時刻を示す時刻情報を記録する撮像装置において、
位置情報と協定世界時の取得を行い、取得結果を示す測位情報を生成する測位情報生成部と、
前記測位情報が示す前記位置情報から協定世界時との時差を判別する時差判別部と、
前記測位情報が示す協定世界時と前記時差から、前記測位情報が示す前記位置情報によって示された位置の現地時刻を算出する現地時刻算出部と、
前記撮像装置が示すシステム時刻と前記現地時刻との時間差が所定時間を超えているときに前記システム時刻の修正を行い、前記撮像画像の記録動作が行われている場合には、前記システム時刻の修正を前記記録動作の終了まで待機させる時刻修正部を設けた
ことを特徴とする撮像装置。
【請求項２】
時刻を早める期間を示したサマータイム情報を記憶したサマータイム情報記憶部を設け、
前記現地時刻算出部は、前記協定世界時と前記時差と前記サマータイム情報から前記現地時刻を算出する
ことを特徴とする請求項１記載の撮像装置。
【請求項３】
前記位置情報取得部と前記協定世界時取得部は、無線信号の受信によって前記位置情報と前記協定世界時を取得する
ことを特徴とする請求項２記載の撮像装置。
【請求項４】
前記位置情報取得部と前記協定世界時取得部は、ＧＰＳ(Global Positioning System)デバイスである
ことを特徴とする請求項３記載の撮像装置。
【請求項５】
前記位置情報取得部と前記協定世界時取得部は、ネットワークを介して無線通信を行う通信デバイスである
ことを特徴とする請求項３記載の撮像装置。
【請求項６】
前記撮像装置は表示部を備え、
前記時刻修正部は、前記システム時刻を修正した後、その旨を前記表示部の画面上に表示する
を特徴とする請求項３の撮像装置。
【請求項７】
前記撮像装置は、ユーザ操作に応じた操作信号を生成するユーザインタフェース部を備え、
前記時刻修正部は、前記システム時刻を修正する前に、その旨を前記表示部の画面上に表示し、前記操作信号が前記システム時刻の修正指示を示すとき前記システム時刻の修正を行う
ことを特徴とする請求項６記載の撮像装置。
【請求項８】
撮像画像の画像信号と撮像時刻を示す時刻情報を記録する撮像装置の時刻修正方法において、
位置情報と協定世界時の取得を行い、取得結果を示す測位情報を生成する測位情報生成工程と、
前記測位情報が示す前記位置情報から協定世界時との時差を判別する時差判別工程と、
前記測位情報が示す協定世界時と前記時差から、前記測位情報が示す前記位置情報によって示された位置の現地時刻を算出する現地時刻算出工程と、
前記撮像装置が示すシステム時刻と前記現地時刻との時間差が所定時間を超えているときに前記システム時刻の修正を行い、前記撮像画像の記録動作が行われている場合には、前記システム時刻の修正を前記記録動作の終了まで待機させる時刻修正工程を設けた
ことを特徴とする時刻修正方法。
【発明の詳細な説明】
【技術分野】
【０００１】
この発明は、撮像装置と時刻修正方法に関する。詳しくは、撮像装置が示すシステム時刻と現地時刻との時間差が所定時間を超えていたとき、撮像画像の記録動作が行われている場合には、記録動作の終了までシステム時刻の修正を待機させるものである。
【背景技術】
【０００２】
従来、撮像装置例えばビデオカメラやデジタルカメラでは時計機能が設けられおり、撮像日時や撮像時刻を撮像画像と共に記録することができるようになされている。このような時計機能が設けられている撮像装置を携行して旅行に行く場合、旅行先が時差を生じているときには、撮像装置の時刻（以下「システム時刻」という）を旅行先の時刻に合わせる操作が必要となる。また、システム時刻を旅行先の時刻に合わせる操作を行わないと、例えば日中に撮像した映像に対して夜間の時刻が示されるなどの不具合が生じて、時計機能を正しく利用することができなくなってしまう。
【０００３】
そこで、特許文献１の発明では、位置測位技術により現地時刻を計算して、撮像装置のシステム時刻を現地時刻に自動的に修正する技術が提案されている。このように、自動的に撮像装置のシステム時刻を現地時刻に修正すれば、時刻合わせの操作をユーザが行わなくとも、正しい時刻を撮像画像と共に記録することが可能となる。
【０００４】
【特許文献１】特開２０００−７５０７０号公報
【発明の開示】
【発明が解決しようとする課題】
【０００５】
ところで、現地時刻が異なる国や地域間を移動する場合、自動的に撮像装置のシステム時刻が現地時刻に修正されると、撮像動作の途中で時間の進みや遅れが生じてしまう。このため、撮像画像として動画を記録している場合、動画ストリーム中に記録される時刻に不整合を生じてしまう。また、撮像開始時に動画ストリームに記録される時刻と、動画ストリームを動画ファイルとしてファイルシステムに登録される時刻の不整合を生じてしまう場合もある。例えば、時刻を遅らせるシステム時刻の変更が動画の記録中に行われると、記録動作終了後にシステムファイルに登録された動画ファイルの時刻が、撮像開始よりも前の時刻を示すものとなって不整合を生じてしまう。
【０００６】
そこで、この発明では、時刻情報の不整合を防止しながら、正しい時刻に自動的に修正できる撮像装置および時刻修正方法を提供するものである。
【課題を解決するための手段】
【０００７】
この発明の概念は、現地時刻に時差がある地域を撮像画像の記録を行いながら移動するとき、移動に伴い撮像装置のシステム時刻と現地時刻に時間差を生じても、撮像画像の記録終了までシステム時刻の修正を待機させることにある。
【０００８】
この発明に係る撮像装置は、撮像画像と撮像時刻を示す時刻情報を記録する撮像装置において、位置情報と協定世界時の取得を行い、取得結果を示す測位情報を生成する測位情報生成部と、前記測位情報が示す前記位置情報から協定世界時との時差を判別する時差判別部と、前記測位情報が示す協定世界時と前記時差から、前記測位情報が示す前記位置情報によって示された位置の現地時刻を算出する現地時刻算出部と、前記撮像装置が示すシステム時刻と前記現地時刻との時間差が所定時間を超えているときに前記システム時刻の修正を行い、前記撮像画像の記録動作が行われている場合には、前記システム時刻の修正を前記記録動作の終了まで待機させる時刻修正部を設けたものである。
【０００９】
また、この発明に係る時刻修正方法は、撮像画像の画像信号と撮像時刻を示す時刻情報を記録する撮像装置の時刻修正方法において、位置情報と協定世界時の取得を行い、取得結果を示す測位情報を生成する測位情報生成工程と、前記測位情報が示す前記位置情報から協定世界時との時差を判別する時差判別工程と、前記測位情報が示す協定世界時と前記時差から、前記測位情報が示す前記位置情報によって示された位置の現地時刻を算出する現地時刻算出工程と、前記撮像装置が示すシステム時刻と前記現地時刻との時間差が所定時間を超えているときに前記システム時刻の修正を行い、前記撮像画像の記録動作が行われている場合には、前記システム時刻の修正を前記記録動作の終了まで待機させる時刻修正工程を設けたものである。
【００１０】
この発明においては、無線信号を受信して例えばＧＰＳ電波を受信することにより位置情報と協定世界時が取得される。また、位置情報から協定世界時との時差が判別されて、この協定世界時との時差やサマータイム情報から位置情報によって示された位置の現地時刻が算出される。ここで、撮像装置が示すシステム時刻と現地時刻との時間差が所定時間を超えているときにシステム時刻の修正が行われる。また、撮像画像の記録動作が行われている場合には、記録動作の終了までシステム時刻の修正が待機されて、その後、システム時刻の修正が行われたときにその旨の表示が行われる。
【発明の効果】
【００１１】
この発明によれば、撮像画像を記録しながら現地時刻が異なる地域に移動するような場合でも、撮影画像の記録動作中はシステム時刻の修正が行われることがなく、記録動作終了後に正しい時刻に修正される。このため、ユーザは、現地時刻が異なる地域に移動したか否かや、撮像画像の記録中であるか否かを意識しなくても、記録された動画ファイルの時刻等の不整合を招くことなく撮像装置のシステム時刻を自動的に修正できる。また、協定世界時と位置情報およびサマータイム情報に基づいてシステム時刻の修正が行われるので、システム時刻を正しい時刻に修正できる。
【発明を実施するための最良の形態】
【００１２】
以下、図を参照しながら、この発明の実施の一形態について説明する。図１は、この発明に係る撮像装置の構成を示している。
【００１３】
撮像装置１０の光学系ユニット１１はレンズやズーム機構等で構成されており、レンズの光軸後方に配設された撮像素子１２１の撮像面上に光学像を結像させる。
【００１４】
撮像部１２の撮像素子１２１は、光電変換を行い光学像に応じたアナログ画像信号を生成してアナログ信号処理部１２２に供給する。アナログ信号処理部１２２は、撮像素子１２１から供給されたアナログ画像信号に対してノイズ除去やゲイン調整等のアナログ画像信号処理を行う。また、アナログ信号処理部１２２には、Ａ／Ｄ変換器が設けられており、アナログ信号処理されたアナログ画像信号をデジタル画像信号に変換して画像処理部１２３に供給する。
【００１５】
画像処理部１２３は、アナログ信号処理部１２２から供給されたデジタル画像信号を用いて色調整や画質調整等のデジタル画像信号処理を行う。また、デジタル画像信号処理が行われた画像信号の圧縮処理や圧縮処理されている画像信号の伸長処理等を行う。圧縮方式としては、動画記録の場合、例えばＭＰＥＧ(Moving Picture Expert Group)方式等を用いる。静止画記録の場合は、非可逆圧縮方式例えばＪＰＥＧ(Joint Photographic Experts Group)方式を用いる。また、画像処理部１２３は、ＲＡＷ方式の可逆圧縮信号または非圧縮信号を生成したり、ＴＩＦＦ(Tagged Image File Format)方式の非圧縮信号を生成するものとしてもよい。以下、非圧縮あるいは圧縮された画像信号を単に画像信号ＤＧという。
【００１６】
測位情報生成部１３は、位置情報と協定世界時の取得を行い、取得結果を示す測位情報ＰＴを生成する。測位情報生成部１３は、例えばＧＰＳ(Global Positioning System)デバイスを用いて構成されている。ＧＰＳデバイスは、ＧＰＳ電波を受信するアンテナ部、受信したＧＰＳ電波の信号変換部、位置情報の計算部や協定世界時情報生成部等を有しており、ＧＰＳ電波を受信して測位情報、例えばＮＭＥＡ(National Marine Electronics Association)−０１８３フォーマット形式の測位情報ＰＴを生成する。
【００１７】
図２は、測位情報生成部１３で生成されたＮＭＥＡ−０１８３フォーマット形式の測位情報ＰＴの一部、例えばＧＧＡデータセンテンスを示している。なお、データは例示的に示したものである。「Message ID」では、ＧＧＡデータセンテンスであることが示されている。なお、先頭の「$」は文字列の始まり、「GP」はＧＰＳの測位情報であることを示す識別子である。「UTC Position」では、測位時刻が協定世界時で示される。「Latitude」では緯度、「N/S Indicator」では緯度が北緯であるか南緯であるかが示される。「Longitude」では経度、「E/W Indicator」では経度が東経であるか西経であるかが示される。「Position fix Indicator」ではＧＰＳ品位、「Satellites used」では受信衛星数が示されている。さらに、測位情報ＰＴには、ＧＧＡデータセンテンスだけでなくＺＤＡデータセンテンスあるいはＲＭＣデータセンテンスを含めるものとして、協定世界時の西暦，月，日の情報が得られるようにする。
【００１８】
また、測位情報生成部１３は、ＧＰＳ電波に限らず他の無線信号を受信して測位情報ＰＴを生成するものとしてもよい。例えば通信デバイスを用いて測位情報生成部１３を構成して、携帯電話基地局からの電波の到達時間差を計測して位置情報を生成したり、ＰＨＳ基地局からの電波の強度に基づいて基地局との距離を推定して位置情報を生成する。また、複数の地上波デジタルテレビ放送局からの電波を受信して電波の到達時間差によって位置情報を生成したり、無線ＬＡＮのアクセスポイントとの通信等によって位置情報を生成することも可能である。また、ネットワークを介して時刻サーバにアクセスすることで協定世界時を取得することもできる。
【００１９】
画像記録再生部１４は、記録媒体例えば不揮発性メモリや光ディスク，ハードディスク装置等を用いて構成されている。画像記録再生部１４は、撮像画像の画像信号ＤＧ例えば静止画や動画の画像信号ＤＧを撮像時刻等の時刻情報と共に記録する。また、記録媒体に記録されている画像信号ＤＧの再生を行う。なお、画像信号ＤＧ等をファイル化して記録すれば、記録されている画像信号ＤＧの管理が容易となる。
【００２０】
表示部１５は、液晶表示素子等を用いて構成されており、撮像部１２から出力された画像信号に基づいてファインダ画像を表示する。また、表示部１５は、画像記録再生部１４に記憶されている画像信号に基づく撮像画像の表示や種々のメニュー表示等も行う。
【００２１】
メモリ部２１には、撮像装置１０を動作させるためのプログラムや時差の算出に用いるテーブル情報が記憶されている。また、サマータイム制度が採用されている国で撮像装置１０の使用が想定される場合、時刻を早める期間を識別可能とする情報（以下「サマータイム情報」という）がテーブル情報に設けられる。
【００２２】
時計部２２は、撮像装置１０のシステム時刻を示す時刻情報を生成するものであり、生成した時刻情報を制御部３１に供給する。また時計部２２のシステム時刻は、制御部３１によって変更可能とされている。
【００２３】
制御部３１には、ユーザインタフェース部３２が接続されている。ユーザインタフェース部３２は、シャッターボタンや撮像モードの切り換えを行う操作ダイヤル等で構成されており、ユーザ操作に応じた操作信号ＳＳを生成して制御部３１に供給する。
【００２４】
制御部３１は、バス３５を介して各部と接続されている。制御部３１は、メモリ部２１に記憶されているプログラムを読み出して実行することにより、撮像装置１０の動作を開始させる。また、制御部３１は、ユーザインタフェース部３２から供給された操作信号ＳＳに応じて制御信号ＣＴを生成して各部に供給することで、ユーザ操作に応じて撮像装置１０を動作させる。
【００２５】
さらに、制御部３１は、測位情報生成部１３で生成された測位情報ＰＴによって示された位置情報から協定世界時との時差を判別して、この時差と測位情報ＰＴによって示された協定世界時から、位置情報によって示された位置の現地時刻を算出する。なお、サマータイム制度が採用されている国で撮像装置１０の使用が想定される場合には、サマータイム情報も用いて現地時刻を算出する。また、制御部３１は、時計部２２のシステム時刻や算出した現地時刻および撮像装置１０の動作状態に応じてシステム時刻の修正動作を行う。
【００２６】
次に、撮像装置におけるシステム時刻の修正動作について説明する  図３はシステム時刻の修正を行うか否か判断する修正判断動作のフローチャートである。また、図４は、図３の判断動作によってシステム時刻の修正が必要と判断されたときの修正処理動作を示すフローチャートである。
【００２７】
ここで、システム時刻の修正を行うか否かの判断を行う時間間隔が長いと、協定世界時に対する時差が異なる地域に移動したとき、システム時刻を速やかに変更することができない。したがって、システム時刻の修正を行うか否かの判断は時間間隔が短いことが望ましい。一方、システム時刻の修正動作は、システム時刻の修正が必要と判断されたときにのみ行うものとすればよい。すなわち、システム時刻の修正を行うか否か判断する動作と、システム時刻修正動作は非同期処理とすることが望ましい。よって、図３の動作において、システム時刻の修正が必要と判断したときにシステム時刻修正要求を他のプロセスやスレッド動作に対して行い、他のプロセスやスレッド動作では図４に示す修正処理動作を行うものとする。
【００２８】
図３のステップＳＴ１で制御部３１は、測位情報生成部１３で生成された測位情報ＰＴを取得してステップＳＴ２に進む。上述のように、測位情報生成部１３で生成された測位情報ＰＴには、緯度と経度および協定世界時を示す情報が含まれていることから、制御部３１は、測位情報ＰＴを取得して現在位置と現在の協定世界時を判別することができる。
【００２９】
ステップＳＴ２で制御部３１は、時差の判別を行う。また、サマータイム制度が採用されている国で撮像装置１０の使用を想定しているとき、制御部３１は、サマータイム情報の取得を行う。制御部３１は、測位情報で示された緯度と経度から現在位置に対する協定世界時との時差を算出する。例えば、緯度と経度を指定したとき現在位置に対する協定世界時との時差が得られるようにテーブル情報を生成して、メモリ部２１に記憶させておく。また、制御部３１は、現在位置の緯度と経度からサマータイム情報を取得する。例えば、緯度と経度を指定したとき現在位置に対するサマータイム情報が得られるようにテーブル情報を生成して、メモリ部２１に記憶させておく。このようにテーブル情報を生成しておけば、時差の判別やサマータイム情報の取得が容易となる。
【００３０】
図５は、テーブル情報を例示したものである。このテーブル情報では、緯度経度の分や秒単位でメッシュ状に地域を区分して、区分された地域毎に時差およびサマータイム情報を示すものである。
【００３１】
例えば東経２０度から東経２５度の範囲(E02000.0000〜E02500.0000)において、北緯５０度から北緯４０度の範囲は、ヨーロッパの位置を示している。また、この地域では３月最終日曜日午前１時〜１０月最終日曜日午前１時（協定世界時基準）まで、時刻が１時間進められることがサマータイム情報で示される。北緯３０度から北緯２５度の範囲はアフリカの位置を示しており、この地域では、サマータイムが行われていないことがサマータイム情報で示される。
【００３２】
なお、図５のテーブル情報はメッシュ状に地域を区分して時差およびサマータイム情報を示すものとしたが、地域の区分はメッシュ状に限られるものではない。例えば時差およびサマータイム情報が同一である地域を緯度経度のポリゴンデータとして保持しておき、現在位置の緯度と経度が含まれる地域の時差とサマータイム情報を読み出すようにするものとしてもよい。
【００３３】
ステップＳＴ３で制御部３１は、現地時刻を算出する。制御部３１は、協定世界時に時差を加算して時刻を算出する。さらに、サマータイム実施期間であるときには算出した時刻を補正して、補正した時刻を現在位置の時刻である現地時刻としてステップＳＴ４に進む。また、サマータイム実施期間でないとき、またはサマータイム制度が採用されていないときは、協定世界時に時差を加算して得られた時刻を現地時刻としてステップＳＴ４に進む。
【００３４】
ステップＳＴ４で制御部３１は、システム時刻と現地時刻の時間差ＴＤが所定時間Ｔthを超えているか否かを判別する。制御部３１はステップＳＴ３で算出した現地時刻と時計部２２が示すシステム時刻の時間差ＴＤを算出する。ここで、時間差ＴＤが所定時間Ｔthを超えていないときはステップＳＴ１に戻る。また、時間差が所定時間を超えているときはステップＳＴ５に進む。
【００３５】
ステップＳＴ５で制御部３１は、システム時刻修正要求を行いステップＳＴ１に戻る。
【００３６】
図４のステップＳＴ１１で制御部３１は、システム時刻修正要求がなされたか否か判別する。ここで、システム時刻修正要求がなされていないときはステップＳＴ１１に戻り、システム時刻修正要求がなされたときはステップＳＴ１２に進む。
ステップＳＴ１２で制御部３１は、撮像画像の記録動作中であるか否か判別する。制御部３１は、撮像部１２で得られた画像信号ＤＧを画像記録再生部１４で記録媒体に記録する動作が行われているときはステップＳＴ１３に進む。また、撮像画像の記録動作が終了したときや撮像画像の記録動作が行われていないときはステップＳＴ１４に進む。
【００３７】
ステップＳＴ１３で制御部３１は、所定時間待機してステップＳＴ１２に戻る。
【００３８】
ステップＳＴ１４で制御部３１は、システム時刻修正を行う。すなわち、制御部３１は、ステップＳＴ４で算出したシステム時刻と現地時刻の時間差が「０」となるように時計部２２のシステム時刻を修正してステップＳＴ１１に戻る。ここで、システム時刻を修正したときには、その旨の表示を表示部１５に表示させる。システム時刻が修正されたことを表示すれば、ユーザはシステム時刻が現在位置の現地時刻に自動的に修正されたことを確認できる。
【００３９】
このように、システム時刻の修正を行うものとすれば、撮像画像の記録中に現地時刻が異なる国や地域間を移動することがあっても、記録動作中はシステム時刻の修正が行われないので、動画として撮像画像を記録するときに時刻の不整合が生じることがない。また、記録動作終了後にシステム時刻の修正が行われるので、ユーザは現地時刻が異なる国や地域に移動したかどうか、すなわちタイムゾーンが変わったかどうかを確認してその都度システム時刻の修正操作を行わなくとも、撮像装置のシステム時刻を現在位置の時刻に自動的に修正できる。
【００４０】
また、図４に示す修正処理動作は、システム時刻修正要求がなされたときにシステム時刻を自動的に修正するものであるが、ユーザの許可を得たときにシステム時刻を自動的に修正するものとしてもよい。具体的には、ステップＳＴ１１でシステム時刻修正要求がなされたと判別したとき、ユーザの許可が得られているか否かの判別を行い、ユーザの許可が得られていると判別したときステップＳＴ１２以降の処理を行うものとする。
【００４１】
このように、ユーザが許可したときのみシステム時刻を自動的に修正することで、例えば現地時刻の異なる地域に移動している期間が短くシステム時刻を変更する必要がない場合や、ユーザの希望する時刻を記録するような場合に、システム時刻が自動的に変更されてしまうことを防止できる。
【図面の簡単な説明】
【００４２】
【図１】撮像装置の構成を示す図である。
【図２】測位情報の一部を示す図である。
【図３】修正判断動作を示すフローチャートである。
【図４】修正処理動作を示すフローチャートである。
【図５】テーブル情報を示す図である。
【符号の説明】
【００４３】
１０・・・撮像装置、１１・・・光学系ユニット、１２・・・撮像部、１３・・・測位情報生成部、１４・・・画像記録再生部、１５・・・表示部、２１・・・メモリ部、２２・・・時計部、３１・・・制御部、３２・・・ユーザインタフェース部、３５・・・バス、１２１・・・撮像素子、１２２・・・アナログ信号処理部、１２３・・・画像処理部
【図１】
2009133776.tif 000003
【図２】
2009133776.tif 000004
【図３】
2009133776.tif 000005
【図４】
2009133776.tif 000006
【図５】
2009133776.tif 000007